(57)【要約】      （修正有）【課題】噴霧器のベースから容易に取り外すことができ、霧化する液体を利便に補充又は交換できる噴霧アセンブリ及び噴霧器を提供する。【解決手段】噴霧アセンブリ１０は、収容部及び噴霧部を有し、収容部は収容本体を有し、収容本体は、収容空間を定義し、収容空間は、霧化する液体を収容する。噴霧部は収容部と一体であるか又は着脱可能に接続されると共に、噴霧本体３２を有する。噴霧本体は、噴霧機構及び一組の噴霧電気接続部３６を有し、噴霧機構は、霧化する液体と接触し、噴霧電気接続部と噴霧機構とは電気的に接続する。噴霧器は、噴霧アセンブリにより、ベース１００に電気的に接続される。【選択図】図４Ａ
0003198643.tif 000002
【実用新案登録請求の範囲】
【請求項１】
噴霧アセンブリであって、
収容本体を有する収容部であって、ここで前記収容本体は、収容空間を定義し、前記収容空間が霧化する液体を収容する前記収容部、及び、
前記収容部と一体であるか又は着脱可能に接続され、且つ、噴霧本体を有する噴霧部
を備え、
前記噴霧本体は、噴霧機構及び一組の噴霧電気接続部を有し、
前記噴霧機構は、前記霧化する液体と接触し、そして
前記噴霧電気接続部と前記噴霧機構とが電気的に接続されることを特徴とする、前記噴霧アセンブリ。
【請求項２】
さらに、一組のピンを有し、
前記ピンと前記噴霧電気接続部とは、一体であるか又は着脱可能に接続され、そして、
前記ピンは、前記噴霧電気接続部に電気的に接続される
ことを特徴とする、請求項１に記載の噴霧アセンブリ。
【請求項３】
さらに、回転部及び一組のピンを有し、
前記回転部は、回転可能であり、且つ前記噴霧電気接続部に電気的に接続され、
前記ピンは、前記回転部に電気的に接続され、
前記ピンは、前記噴霧電機接続部に間接的に電気的に接続され、そして、
前記ピンと前記回転部とは、一体又は着脱可能に接続される
ことを特徴とする、請求項１に記載の噴霧アセンブリ。
【請求項４】
噴霧器であって、請求項１に記載の噴霧アセンブリ及びベースを有し、
前記ベースは、ベース本体を有し、
前記ベース本体は、一組のベース電気接続部を有し、そして、
前記ベース電気接続部は、前記電気接続部に電気的に接続する
ように構成されることを特徴とする、前記噴霧器。
【請求項５】
噴霧器であって、請求項２又は請求項３に記載の噴霧アセンブリ及びベースを有し、
前記ベースは、ベース本体を有し、
前記ベース本体は、一組のベース電気接続部を有し、そして、
前記ベース電気接続部は、前記ピンと電気的に接続される
ことを特徴とする、前記噴霧器。
【請求項６】
噴霧器であって、請求項１に記載の噴霧アセンブリ及びベースを有し、
前記ベースは、ベース本体を有し、
前記ベース本体は、ベース装着接続部を有し、
前記収容本体又は前記噴霧本体は、前記ベース装着接続部に対応する装着接続部を有し、そして、
前記装着接続部は、着脱可能に前記ベース装着接続部に接続される
ことを特徴とする、前記噴霧器。
【請求項７】
前記ベース装着部又は前記装着接続部の一方は突出部を有し、前記ベース装着部又は前記装着接続部の他方は前記突出部に対応する支持部を有して、前記ベース装着接続部が前記装着接続部と接続する時に、前記突出部が前記支持部と接触することを特徴とする、請求項６に記載の噴霧器。
【請求項８】
前記ベース本体は、一組のベース電気接続部を有し、
前記ベース電気接続部は、前記噴霧電気接続部に電気的に接続されることを特徴とする、請求項７に記載の噴霧器。
【請求項９】
さらに、一組のピンを有し、
前記ピンは、前記ベース電気接続部と前記噴霧電気接続部との間に接続され、そして、
前記ピンは、それぞれ、前記ベース電気接続部と前記噴霧電気接続部に電気的に接続される
ことを特徴とする、請求項８に記載の噴霧器。
【請求項１０】
さらに、回転部と一組のピンを有し、
前記回転部は、回転可能であり、且つ前記噴霧電気接続部に電気的に接続され、
前記ピンは、前記回転部と電気的に接続され、
前記ピンは、前記噴霧電機接続部に電気的に接続され、そして、
前記ピンと前記回転部とは一体又は着脱可能に接続される
ことを特徴とする、請求項８に記載の噴霧器。
【考案の詳細な説明】
【技術分野】
【０００１】
本考案は、液体を微細液滴に霧化し、ユーザーの需要に基づいて、精油と香水の散布器、空間湿度調整器、肌保湿用美容装置、又は、塗布の効果を達成する噴霧アセンブリと形成される噴霧器に関するものであって、特に、噴霧器から取り外して、噴霧アセンブリを交換、また異なる状況中で使用でき、噴霧器を使用する利便性を改善した噴霧アセンブリに関するものである。
【背景技術】
【０００２】
中華民国特許第Ｍ３９０８１９号、Ｍ３６０７４５号、及び、Ｍ３２９４８０号で開示されるように、噴霧孔片を用いた振動型噴霧器は、ストレージチャンバ中の液体を微細液滴に霧化するものである。噴霧機構は、噴霧孔片と振動片を有する。
【０００３】
しかし、図１に示されるように、従来の噴霧器１０００の噴霧アセンブリ１０１０とベース１１００とは一体成型であり、噴霧アセンブリ１０１０は、ベース１１００から分離できないか又は困難である。ユーザーが噴霧器１０００に液体を補充すると、液体が、内部回路やバッテリーに侵入し、正常に機能しなくなったり、電流が漏れたりする。ユーザーが、異なる種類の液体に交換したいとき、元々入っていた液体を出して、液体ストレージチャンバ１０２４を洗浄する必要がある。よって、噴霧器１０００の内部回路に水分が進入する恐れがある。
【０００４】
このような状況下で、ユーザーは、直接、元の噴霧器１０００を、所望の液体を含む別の噴霧器１０００に交換することができるが、噴霧器１０００を使用するコストを増加させる。一方、噴霧器１０００のコンポーネントの一つ（例えば、収容部１０２０、噴霧部１０３０、又は、ベース１１００）が故障した時、噴霧アセンブリ１０１０とベース１１００とは一体型なので、分離や修理が困難である。それ故に、噴霧器１０００を使用するコストが増加する。
【０００５】
さらに、従来の噴霧器１０００の噴霧アセンブリ１０１０は、ストリングタイプ（ｓｔｒｉｎｇ  ｔｙｐｅ）ワイヤ（図示しない）によりベース１１００に電気的に接続される。しかし、ストリングタイプワイヤは、大電流により生じる熱により溶融する問題があり、さらに、断裂して短絡するリスクもある。ストリングタイプワイヤは断裂するリスクがあるので、着脱可能装置への使用は適さず、分解中のストリングタイプワイヤの引っ張りにより電線が断裂するのを防止するために全体式装置のみへの使用に適する。
【考案の概要】
【考案が解決しようとする課題】
【０００６】
従来の技術の問題を解決するため、本考案は、噴霧アセンブリとそれにより形成される噴霧器を提案する。噴霧アセンブリは、噴霧器のベースから容易に取り外すことができ、霧化する液体を利便に補充又は交換できる。正常に機能しなくなった噴霧アセンブリ又はベースは、噴霧器から容易に交換や修理をすることができる。
【０００７】
さらに、噴霧アセンブリは、適当な電源に挿入されて、噴霧器を形成し、噴霧アセンブリとそれにより形成される噴霧器の利便性を進展させる。
【０００８】
一方、本考案の噴霧アセンブリは、ピン素子によりベースに電気的に接続され、従来の噴霧アセンブリがストリングタイプワイヤによりベースと接続されることにより生じる分裂問題を克服する。
【課題を解決するための手段】
【０００９】
本考案の実施形態によると、噴霧アセンブリは、収容部と噴霧部を備える。収容部は、収容本体を有し、この収容本体は、収容空間を定義し、この収容空間は、霧化する液体を収容する。噴霧部は、収容部と一体であるか又は着脱可能に接続され、且つ、噴霧本体を有する。この噴霧本体は、噴霧機構を有し、この噴霧機構と霧化する液体とが接触する。また、前記噴霧本体は、一組の噴霧電気接続部を有し、且つ、噴霧電気接続部と噴霧機構とは電気的に接続される。
【００１０】
好ましくは、噴霧アセンブリは、さらに、一組のピンを含み、このピンと噴霧電気接続部とは、一体であるか又は着脱可能に接続され、且つ、このピンは、噴霧電気接続部に電気的に接続される。
【００１１】
好ましくは、噴霧アセンブリは、さらに、回転部と一組のピンを有し、回転部は、回転可能、且つ、噴霧電気接続部に電気的に接続され、このピンは、回転部と電気的に接続されて、このピンが、前記噴霧電気接続部と電気的に接続され、且つ、このピンと回転部とは、一体であるか又は着脱可能に接続される。
【００１２】
本考案の別の実施形態によると、噴霧器は、上述の噴霧アセンブリ以外に、さらに、ベースを有し、このベースは、ベース本体を含み、このベース本体は、一組のベース電気接続部を有し、このベース電気接続部は、電気接続部に電気的に接続するように構成される。
【００１３】
本考案のもう一つの実施形態によると、噴霧器は、上述の噴霧アセンブリ以外に、さらに、ベースを有し、このベースはベース本体を含み、このベース本体は、一組のベース電気接続部を有し、ベース電気接続部とピンとは電気的に接続する。
【００１４】
本考案のさらにもう一つの実施形態によると、噴霧器は、上述の噴霧アセンブリ以外に、さらに、ベースを含み、このベースはベース本体を有し、このベース本体は、ベース装着接続部を有する。前記収容本体又は前記噴霧本体は、ベース装着接続部に対応する装着接続部を有し、且つ、この装着接続部は、着脱可能にベース装着接続部と接続される。
【００１５】
好ましくは、ベース装着部又は装着接続部の一方が、突出部を有し、ベース装着部又は装着接続部の他方が、突出部に対応する支持部を有して、ベース装着接続部が装着接続部を接続する時に、前記突出部が前記支持部と接触する。
【００１６】
本考案の上記及び他の目的及び特徴は、添付図面と共に以下の記載を参照することにより明らかとなる。
【考案の効果】
【００１７】
本考案の「着脱可能な接続」により、使用者は、損傷や不良の素子やコンポーネントだけを交換することができ、噴霧器を維持又は修理するコストを削減することができる。
【図面の簡単な説明】
【００１８】
【図１】従来の噴霧器を示す図である。
【図２】本考案の一実施態様による噴霧アセンブリを示す図である。
【図３Ａ】本考案の一実施態様による噴霧電気的接続部を有する噴霧本体を示す図である。
【図３Ｂ】本考案の一実施態様による噴霧電気的接続部とピン素子を有する噴霧本体を示す図である。
【図３Ｃ】本考案の一実施態様による噴霧電気的接続部、ピン素子、及び、回転部を有する噴霧本体を示す図である。
【図４Ａ】本考案の一実施態様による噴霧器の噴霧アセンブリとベースの分解図である。
【図４Ｂ】図４Ａに示されるベースの別の角度から見た立体図である。
【図５】本考案の一実施態様によるそれぞれ、異なる角度でベースに挿入された噴霧アセンブリの回転部を示す図である。
【考案を実施するための形態】
【００１９】
図２を参照すると、本考案の実施形態による噴霧アセンブリ１０は、収容部２０及び噴霧部３０を有し、且つ、噴霧部３０と収容部２０とは一体であるか又は着脱可能に接続される。収容部２０は、収容本体２２を有する。収容本体２２は、収容空間２４を定義すると共に、噴霧口２６を有する。収容空間２４は、霧化する液体を収容する（図示しない）。
【００２０】
噴霧部３０は、噴霧本体３２を有する。噴霧本体３２は、収容本体２２を接続すると共に、噴霧機構３４を含む。噴霧機構３４は、噴霧口２６に対応する位置にあり、収容空間２４中の霧化する液体を噴霧機構３４により霧化して噴出する。
【００２１】
注意すべきことは、図２の噴霧機構３４は、収容空間２４の内部に設置されているが、この配置に限定されないことである。すなわち、噴霧機構３４は、収容空間２４の外部に装着されてもよい（図示しない）。
【００２２】
好ましくは、噴霧機構３４は、収容空間２４の外部に装着され（図示しない）、且つ、噴霧本体３２は、噴霧口２６（図示しない）を設置して、噴霧部３０と収容部２０が、着脱可能に接続される状況において、噴霧部３０がさらに容易に収容部２０と分離できる。
【００２３】
このほか、図３Ａに示されるように、噴霧本体３２は、さらに、一組の噴霧電気接続部３６を有し、且つ、噴霧電気接続部３６は、噴霧機構３４に電気的に接続する。
【００２４】
好ましくは、図３Ｂに示されるように、噴霧部３０は、さらに、一組のピン（ＰＩＮ）４０を有し、ピン４０と噴霧電気接続部３６とは、一体であるか又は着脱可能に接続され、且つ、ピン４０は、噴霧電気接続部３６に電気的に接続する。
【００２５】
好ましくは、図３Ｃに示されるように、噴霧部３０は、さらに、回転部３８及び一組のピン４０を有し、回転部３８は、回転可能であり、且つ、噴霧電気接続部３６に電気的に接続され、ピン４０は回転部３８に電気的に接続され、且つ、ピン４０は、噴霧電気接続部３６に間接的に電気的に接続される。ピン４０と回転部３８とは一体であるか又は着脱可能で接続される。
【００２６】
好ましくは、回転部３８中、回転部３８と噴霧電気接続部３６の電気的接続箇所と回転部３８とピン４０の電気的接続箇所が電気的に接続され、ピン４０は、噴霧電気接続部３６に間接的に電気的に接続される。
【００２７】
図４Ａと図４Ｂを参照すると、ベース１００は、ベース本体１１０を含み、ベース本体１１０は、一組のベース電気接続部１１２を有し、ベース電気接続部１１２は、噴霧本体３２の噴霧電気接続部３６に電気的に接続されるように構成される。
【００２８】
ベース電気接続部１１２は、電源であるか又は、電源に電気的に接続されて、噴霧アセンブリ１０が、噴霧電気接続部３６とベース電気接続部１１２間の電気的接続により、噴霧器１になる。例えば、ベース１００は携帯式電源（移動電源）、又は、定位置電源（例えば、固定電源ソケット、又は延長電源ソケット）である。
【００２９】
一例において、ピン４０の一端は、噴霧電気接続部３６に電気的に接続され、ピン４０のもう一端は、ベース電気接続部１１２に電気的に接続されて、噴霧電気接続部３６とベース電気接続部１１２とを電気的に接続させる。
【００３０】
注意すべきことは、本考案中の噴霧アセンブリ１０の噴霧部３０は、ピン４０により従来技術のストリングタイプのワイヤを代替して、電気的接続の構造とすることで、構造上の接続強度を増加させるだけでなく、分離が容易である。
【００３１】
別の実施形態において、図５は、回転部３８を有する噴霧アセンブリ１０を、異なる角度を有するベース１００ａ、１００ｂに装着した立体図である（図２と図３Ｃを併せて参照する）。
【００３２】
ベース１００ａは、壁２００ａに装着され、ベース１００ｂは地面２００ｂに装着される。ピン４０の一端は、回転部３８に電気的に接続され、ピン４０のもう一端は、ベース電気接続部１１２と電気的に接続して、噴霧電気接続部３６とベース電気接続部１１２を電気的に接続すると共に、回転部３８の運動により、噴霧アセンブリ１０が、異なる角度を有するベース電気接続部１１２に装着されるベース１００ａと１００ｂを適用することができる。つまり、回転部３８の運動により、噴霧アセンブリ１０は、要求に従って、ベース１００に対応して調整又は回転することができる。
【００３３】
一例において、噴霧アセンブリ１０は、それぞれ、異なる角度でベース１００ａと１００ｂのベース電気的接続部１１２中に挿入され、回転部３８の角度／動作を調整することにより、水平面に対して同一角度で維持される。
【００３４】
図４Ａと図４Ｂを再度参照すると、ベース本体１１０は、さらに、ベース接続部１５０を有する。噴霧アセンブリ１０の収容本体２２又は噴霧本体３２は、ベース接続部１５０に対応する装着接続部５０を有し、ベース接続部１５０と装着接続部５０は、着脱可能に接続される。
【００３５】
好ましくは、ベース本体１１０と噴霧アセンブリ１０の一方は、少なくとも一つの突出部６０を有し、ベース本体１１０と噴霧アセンブリ１０の他方は、突出部６０に対応する少なくとも一つの支持部６２を有して、ベース接続部１５０が、装着接続部５０を接続する時、突出部６０が支持部６２と接触して、噴霧アセンブリ１０とベース本体１１０間の接触面積を増加して、噴霧アセンブリ１０とベース１００間が、しっかりとした接続関係を有し、噴霧器１全体構造強度を増加する効果を達成すると共に、使用者が、噴霧アセンブリ１０とベース１００間の接続上の安全性と信頼性を確保することができる。
【００３６】
本考案の噴霧器１の噴霧アセンブリ１０とベース１００が、着脱可能に接続される配置に基づくと、噴霧アセンブリ１０の収容部２０中の霧化する液体が尽き又は交換が必要な場合、使用者が、噴霧アセンブリ１０とベース１００とを分離後、霧化する液体の補充や交換を実行して、霧化する液体を補充や交換する時、霧化する液体が、ベース１００中、特にベース電気接続部１１２中に侵入して、ベース電気接続部１１２が損壊するのを防止する。
【００３７】
あるいは、霧化する液体を有するもう一つの噴霧アセンブリ１０に直接交換して、霧化する液体の補充や交換時に発生する汚染を回避することができると共に、ベース１００と共に交換するコストを節約することができ、霧化する液体の迅速な補充や交換が達成される。
【００３８】
あるいは、収容部２０や噴霧部３０が故障や損壊した時、噴霧器１の噴霧アセンブリ１０のみを交換することができ、噴霧器１全体を交換するよりも、コストが節約できる。
【００３９】
好ましくは、噴霧アセンブリ１０中の収容部２０と噴霧部３０が、着脱可能に接続される配置に基づくと、噴霧アセンブリ１０の収容部２０中の霧化する液体が尽き又は交換が必要な場合、使用者が、収容部２０と噴霧部３０分離後、霧化する液体の補充や交換を実行して、霧化する液体を補充や交換する時、霧化する液体が、噴霧部３０やベース１００の中、特に、噴霧電気接続部３６やベース電気接続部１１２の中に侵入して、噴霧電気接続部３６やベース電気接続部１１２が損壊するのを防止する。
【００４０】
あるいは、霧化する液体を有するもう一つの噴霧アセンブリ２０に直接交換して、霧化する液体の補充や交換時に発生する汚染を回避することができると共に、噴霧部３０とベース１００と共に交換するコストを節約することができ、霧化する液体の迅速な補充や交換が達成される。
【００４１】
あるいは、収容部２０や噴霧部３０が故障や損壊時、損壊した収容部２０や噴霧部３０を個別に交換することができ、経済性を達成し、コストを節約できる。
【００４２】
特記すべきことは、本考案中で定義される用語「着脱可能な接続」は、互いの間が「着脱可能な接続」の各素子又はコンポーネントが、少なくとも一つの接続部（図示しない）を有すると共に、これらの接続構造により、結合（Ｅｎｇａｇｉｎｇ）、フック（Ｈｏｏｋｉｎｇ）、スナップ（Ｓｎａｐ−ｆｉｔｔｉｎｇ）、挿入（Ｉｎｓｅｒｔｉｎｇ）（例えば、プラグとソケット）等の着脱可能な接続効果を達成することができることを意味する。
【００４３】
着脱可能な接続方式は、上述の方式に限定されず、且つ、これらの着脱可能な接続方式は、当業者によく知られている従来の技術であり、よって、その詳細は省略する。
【００４４】
素子及びコンポーネント間の「着脱可能な接続」により、素子及びコンポーネントの任意の一つが損壊や故障して使用できないとき、使用者は、損傷や不良の素子又はコンポーネントを含む噴霧器全体を交換する必要がなく、損傷や不良の素子又はコンポーネントのみを交換することができる。これにより、本考案は、噴霧器を維持又は修理するコストを削減することができる。
【００４５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【符号の説明】
【００４６】
１         噴霧器
１０       噴霧アセンブリ
２０       収容部
２２       収容本体
２４       収容空間
２６       噴霧口
３０       噴霧部
３２       噴霧本体
３４       噴霧機構
３６       噴霧電気的接続部
３８       回転部
４０       ピン
５０       設置接続部
６０       突出部
６２       支持部
１００     ベース
１００ａ   ベース
１００ｂ   ベース
１１０     ベース本体
１１２     ベース電気的接続部
１５０     ベース接続部
２００ａ   壁
２００ｂ   地面
１０００  噴霧器
１０１０  噴霧アセンブリ
１０２０  収容部
１０３０  噴霧部
１０２４  液体ストレージチャンバ
１１００  ベース
【図１】
0003198643.tif 000003
【図２】
0003198643.tif 000004
【図３Ａ】
0003198643.tif 000005
【図３Ｂ】
0003198643.tif 000006
【図３Ｃ】
0003198643.tif 000007
【図４Ａ】
0003198643.tif 000008
【図４Ｂ】
0003198643.tif 000009
【図５】
0003198643.tif 000010
【手続補正書】
【提出日】平成27年5月7日(2015.5.7)
【手続補正１】
【補正対象書類名】実用新案登録請求の範囲
【補正対象項目名】請求項７
【補正方法】変更
【補正の内容】
【請求項７】
前記ベース装着接続部又は前記装着接続部の一方は突出部を有し、前記ベース装着接続部又は前記装着接続部の他方は前記突出部に対応する支持部を有して、前記ベース装着接続部が前記装着接続部と接続する時に、前記突出部が前記支持部と接触することを特徴とする、請求項６に記載の噴霧器。